(57)【要約】【課題】インストルメントパネル本体の車室側に向かって開口するように凹設された物品収納部に取り付けられる自動車用収納ボックスにおいて、インストルメントパネル本体１の物品収納部３に収納ボックス５を後付けするためのボックス取付用孔３１，３１の位置決め作業を容易にする。【解決手段】ボックス本体１１をインストルメントパネル本体１の物品収納部３に取り付けるための締結部材２１，２１を挿通可能な締結部材挿通孔２３，２３を、ボックス本体１１の奥部壁１１ｃに設ける。この各締結部材挿通孔２３に、締結部材２１の物品収納部３への締結位置を決めるための位置決め用孔２５を有する位置決め部２７を、締結部材挿通孔２３を横断するように形成し、この位置決め部２７を切り離し可能にボックス本体１１に一体的に形成する。【選択図】　図４
2004058710.tif 000002
【特許請求の範囲】
【請求項１】
インストルメントパネル本体の車室側に向かって開口するように凹設された物品収納部に取り付けられる自動車用収納ボックスであって、
車室側に開口部を有するボックス本体と、該ボックス本体の開口部を開閉するリッドとを備え、
上記ボックス本体の奥部壁には、ボックス本体を物品収納部に締結により取り付けるための締結部材を挿通可能な締結部材挿通孔が設けられており、
上記締結部材挿通孔には、上記締結部材の物品収納部への締結位置を決めるための位置決め用孔を有する位置決め部が締結部材挿通孔を横断するように形成され、
上記位置決め部は切り離し可能にボックス本体に一体的に形成されていることを特徴とする自動車用収納ボックス。
【請求項２】
請求項１の自動車用収納ボックスをインストルメントパネル本体の物品収容部に取り付ける取付方法であって、
上記物品収容部のボックス取付位置に自動車用収納ボックスを挿入保持した状態で、物品収容部の奥部壁に締結部材の締結位置を収納ボックスの位置決め用孔を通して罫書きし、
上記物品収納部から自動車用収納ボックスを一旦取り除いた後、上記罫書きされた締結位置に締結部材を挿通するためのボックス取付用孔を孔開けし、
上記ボックス本体の位置決め部の切断により位置決め部を除去して締結部材挿通孔を開口させ、
上記物品収納部に再度収納ボックスを挿入した後、上記開口された締結部材挿通孔と上記ボックス取付用孔とに締結部材を挿通して締結することにより、自動車用収納ボックスをインストルメントパネル本体に取付固定することを特徴とする自動車用収納ボックスの取付方法。
【発明の詳細な説明】
【０００１】
【発明の属する技術分野】
本発明は、インストルメントパネル本体の車室側に向かって開口するように凹設された物品収納部に取り付けられる自動車用収納ボックス及びその取付方法に関する技術分野に属する。
【０００２】
【従来の技術】
従来より、この種の自動車用収納ボックスとして、例えば特開平５−２７０３２１号公報に開示されているように、インストルメントパネル本体に取付固定され、開口部が車体後側、即ち車室側に向いた箱形の物品収納部と、その開口部を開閉する開閉リッドとを備え、このリッドにより部品収納部内部に収納された小物等の収納物が外から見えないようにしたものが知られている。
【０００３】
【発明が解決しようとする課題】
ところで、部品点数の削減等の観点から、上記物品収納部の開閉リッドを省略して、インストルメントパネル本体に物品収納部のみを設ける構造とすることがあり、この構造では、車両の急激な動きによって収納物が部品収納部から飛び出す虞れがある。
【０００４】
そこで、このような問題に対処するために、上記開閉リッドが省略された構造に対し、その物品収納部に、車室側に開口部を有するボックス本体と、このボックス本体の開口部を開閉するリッドとを備えた収納ボックスをオプションとして後付けで取り付けようとするニーズがある。
【０００５】
斯かるニーズのために、物品収納部に予め収納ボックスを位置決めして取り付けるためのボックス取付用孔を設けておいてもよいが、収納ボックスを取り付けない場合に、この取付用孔が露出したままとなって見映えが悪くなる。
【０００６】
一方、上記取付用孔を設けない場合には、物品収納部における収納ボックスの所定の取付位置に、正確にボックス取付用孔を加工してから、自動車用収納ボックスを取り付けなければならず、その位置決め作業が面倒であった。
【０００７】
本発明は斯かる点に鑑みてなされたものであり、その目的とするところは、自動車用収納ボックス自体の構造を工夫することにより、インストルメントパネル本体の物品収納部に自動車用収納ボックスを後付けするためのボックス取付用孔の位置決め作業を容易にしようとすることにある。
【０００８】
【課題を解決するための手段】
上記の目的を達成するために、請求項１の発明では、インストルメントパネル本体の車室側に向かって開口するように凹設された物品収納部に取り付けられる自動車用収納ボックスとして、車室側に開口部を有するボックス本体と、このボックス本体の開口部を開閉するリッドとを備え、ボックス本体の奥部壁には、ボックス本体を物品収納部に締結により取り付けるための締結部材を挿通可能な締結部材挿通孔が設けられており、この締結部材挿通孔には、締結部材の物品収納部への締結位置を決めるための位置決め用孔を有する位置決め部が締結部材挿通孔を横断するように形成され、この位置決め部は切り離し可能にボックス本体に一体的に形成される構成とする。また、請求項２の発明では、上記請求項１の自動車用収納ボックスをインストルメントパネル本体の物品収容部に取り付ける取付方法であって、物品収容部のボックス取付位置に自動車用収納ボックスを挿入保持した状態で、物品収容部の奥部壁に締結部材の締結位置を収納ボックスの位置決め用孔を通して罫書きし、物品収納部から自動車用収納ボックスを一旦取り除いた後、上記罫書きされた締結位置に締結部材を挿通するためのボックス取付用孔を孔開けし、ボックス本体の位置決め部の切断により位置決め部を除去して締結部材挿通孔を開口させ、物品収納部に再度収納ボックスを挿入した後、開口された締結部材挿通孔とボックス取付用孔とに締結部材を挿通して締結することにより、自動車用収納ボックスをインストルメントパネル本体に取付固定する。
【０００９】
これら発明の構成によると、物品収容部の奥部壁にボックス取付用孔を予め設けなくても、ボックス本体の締結部材挿通孔には、締結部材の物品収納部への締結位置を決めるための位置決め用孔を有する位置決め部が設けられているため、物品収納部における所定の自動車用収納ボックスの取付位置に、正確かつ容易にボックス取付用孔を位置決めして加工することができる。
【００１０】
また、位置決め部は切り離し可能にボックス本体に一体的に形成されているため、ボックス取付用孔の位置決め後、この位置決め部を切断することで位置決め部を容易に切り離して、締結部材挿通孔をボックス本体の奥部壁に貫通して開口させ、その開口された締結部材挿通孔に締結部材を挿通させることができる。
【００１１】
さらに、自動車用収納ボックス取付状態では、その開口部がリッドによって開閉されるため、リッドの閉状態では収納ボックス内部の収納物が車室側から見えることはなく、収納物が車両の急激な動きによって収納ボックス内から飛び出すのを防ぐことができる。
【００１２】
また、物品収納部に予め自動車用収納ボックスを取り付けるためのボックス取付用孔を設けていないため、収納ボックスを取り付けない場合に、この取付用孔が露出せず、見映えがよい。
【００１３】
【発明の実施の形態】
以下、本発明の実施形態を図面に基づいて説明する。図５に示すように、インストルメントパネル本体１は、図の左側の部分が車体の左側、即ち助手席側となり、また図の右側の部分が車体の右側、即ち運転手席側となるように、車室の前端側に配設されるものである。
【００１４】
上記インストルメントパネル本体１は、図４にも示すように、左側（助手席側）において車体後側に略矩形状に開口する物品収納部３と、物品収納部３の下方に位置するグローブボックス７（図４では仮想線で示す）とが設けられている。
【００１５】
上記物品収納部３は箱形に凹陥されたもので、その内部に小物等の収納物が収納されるようになっている。
【００１６】
５は、物品収納部３内に、後付けで取り付けられる本発明の実施形態に係る自動車用収納ボックス５であって、この収納ボックス５は、図１に示すように、車室側に開口する開口部１１ａを有するボックス本体１１と、該ボックス本体１１の開口部１１ａを開閉するリッド１３とを備えている。
【００１７】
上記ボックス本体１１は断面略矩形状をしており、その開口部１１ａの左右中央部には、中央部分が凹陥された係合部１１ｂが車体下方に向かって突設されている。そして、上記ボックス本体１１の奥部壁１１ｃは、図４にも示すように、車体前方に向かうにしたがって車体下方に向かうようにボックス本体１１の底面に対して傾斜しており、例えば仮想線で示すように、複数のＣＤケースＣ，Ｃ，…が収納されたときには、このＣＤケースＣ，Ｃ，…が段差状に積み重ねられる状態となるため、乗員が各ＣＤケースＣを取り出しやすくなっている。また、奥部壁１１ｃには車体前方に向かって突出するように略円筒状のボックス取付用突部１９，１９が設けられている。
【００１８】
上記リッド１３は、図１に示すように、上記ボックス本体１１の開口部１１ａより若干大きいカバー状のもので、開口部１１ａの下端に設けられた車体左右方向に水平に延びる支軸１５，１５を介して、車体の前後回りに回動可能にボックス本体１１に支持されている。そして、リッド１３の支軸１５，１５と反対側の端部には上記ボックス本体１１の係合部１１ｂに対応する被係合突起１３ａが設けられており、リッド１３の閉時に、この被係合突起１３ａが上記係合部１１ｂに係合されることにより、リッド１３がボックス本体１１に保持され、収納ボックス５内部の収容物が飛び出さないようになっている。尚、図１において１７は、リッド１３を開いたとき、ボックス本体１１とリッド１３との隙間から奥部が見えないようにしたカバー部である。
【００１９】
そして、図２に拡大詳示するように、上記各ボックス取付用突部１９の奥壁１９ａの略中心部にはボルトからなる締結部材２１（図３〜図５に示す）を挿通するための締結部材挿通孔２３が貫通して設けられている。この締結部材挿通孔２３の中心部には、中心に位置決め用孔２５を貫通形成した位置決め部２７が配置され、この位置決め部２７は、締結部材挿通孔２３を直径方向に横断するように延びかつ切り離し可能な２つのリブ２９，２９を介して締結部材挿通孔２３周りのボックス本体１１の奥部壁１１ｃ（上記奥壁１９ａ）に一体的に形成されている。
【００２０】
次に、本発明の実施形態に係る収納ボックス５の取付方法について説明する。図５に示す方向で上記物品収容部３の奥部壁３ａにボックス本体１１のボックス取付用突部１９，１９が当接するまで収納ボックス５を挿入保持させる。
【００２１】
そして、上記保持状態で、キリ等の先端の尖った工具を用いて収納ボックス５の位置決め用孔２５を通し、物品収容部３の奥部壁３ａに締結部材２１，２１の締結位置を罫書きする。
【００２２】
その後、上記物品収納部３から収納ボックス５を一旦取り除いた後、上記物品収容部３の奥部壁３ａに罫書きされた締結位置に、電動ドリル等を用いて締結部材２１，２１を挿通するためのボックス取付用孔３１，３１を孔開けする。この各ボックス取付用孔３１に締結部材２１の締結を補助するゴムナット２２を圧入固定する。
【００２３】
そして、ボックス本体１１の各ボックス取付用突部１９におけるリブ２９，２９をニッパ等で切断して位置決め部２７を除去し、締結部材挿通孔２３を全周にわたって開口させる。
【００２４】
図３及び図４に示すように、上記物品収納部３に再度収納ボックス５を挿入した後、上記各締結部材挿通孔２３と、ボックス取付用孔３１に圧入されたゴムナット２２とに締結部材２１を挿通して締結することにより、収納ボックス５をインストルメントパネル本体１に取付固定する。
【００２５】
尚、ゴムナット２２は金属製のメネジ部２２ａを内部に有するゴム製の本体部２２ｂと該本体部２２ｂと一体のフランジ部２２ｃとで構成され、図３に示す締結部材２１の締結状態では、本体部２２ｂが圧縮されて変形して形成された環状膨出部２２ｄによりボックス本体１１が部品収納部３からその開口側へ向けて抜けるのを防止され、部品収納部３に固定保持するようになっている。
【００２６】
また、ボックス本体１１の奥部壁１１ｃ全体が物品収納部３の奥部壁３ａに当接するのではなく、ボックス取付用突部１９，１９の２ヶ所で物品収納部３の奥部壁３ａに当接させることで取付安定性が向上するようになっている。
【００２７】
従って、本実施形態においては、ボックス取付用孔３１，３１を予め設けなくても、ボックス本体５の各締結部材挿通孔２３には、締結部材２１の物品収納部３への締結位置を決めるための位置決め用孔２５を有する位置決め部２７が設けられているため、物品収納部３における所定の収納ボックス５の取付位置に、正確かつ容易にボックス取付用孔３１，３１を位置決めして加工することができる。
【００２８】
また、各位置決め部２７は切り離し可能にボックス本体１１の奥部壁１１ｃに一体的に形成されているため、ボックス取付用孔３１の位置決め後、リブ２９，２９を切断することで位置決め部２７を容易に切り離すことにより、締結部材挿通孔２３を全周にわたって貫通して開口させ、その開口された締結部材挿通孔２３に締結部材２１を挿通させることができる。
【００２９】
さらに、収納ボックス５の取付状態では、その開口部１１ａがリッド１３によって開閉されるため、リッド１３の閉状態では収納ボックス５内部の収納物が車室側から見えることはなく、また、収納ボックス５内の収納物が車両の急激な動きによって収納ボックス５内から飛び出すのを防ぐことができる。
【００３０】
また、物品収納部３に予めボックス取付用孔３１，３１を設けていないため、収納ボックス５を取り付けない場合に、この取付用孔３１，３１が露出せず、見映えがよい。
【００３１】
尚、上記実施形態では締結部材２１，２１の締結補助のためにゴムナット２２，２２を使用して締結したが、本発明はこの締結方法に限定されるものではなく、例えばファスナー等の締結部材によって収納ボックス５が物品収納部３に締結固定されればよい。
【００３２】
また、上記実施形態ではボックス本体１１の奥部壁１１ｃにボックス取付用突部１９，１９を設けているが、このボックス取付用突部がなく、フラットな奥部壁に位置決め部が設けられていてもよい。
【００３３】
さらに、上記実施形態では、ボックス本体１１の奥部壁１１ｃは、車体前方に向かうにしたがって車体下方に向かうように傾斜しているが、車体前方に向かって車体上方に向かうように傾斜してもよい。要は、ＣＤケース等の同形状の収納物が積み重ねられたときに、これらの収納物が段差状となり、乗員が収納物を取り出しやすくなるようにすればよい。また、必ずしも上記奥部壁１１ｃはボックス本体の底面に対して傾斜している必要はなく、ボックス本体の底面に対して垂直であってもよい。
【００３４】
【発明の効果】
以上説明したように、請求項１の発明の自動車用収納ボックスでは、ボックス本体をインストルメントパネル本体の物品収納部に取り付けるための締結部材を挿通可能な締結部材挿通孔をボックス本体の奥部壁に設け、この締結部材挿通孔に、締結部材の物品収納部への締結位置を決めるための位置決め用孔を有する位置決め部を、締結部材挿通孔を横断するように形成し、この位置決め部を切り離し可能にボックス本体に一体的に形成した。また、請求項２の発明の自動車用収納ボックスの取付方法では、物品収容部のボックス取付位置に自動車用収納ボックスを挿入保持した状態で、物品収容部の奥部壁に締結部材の締結位置を収納ボックスの位置決め用孔を通して罫書きし、罫書きされた締結位置に締結部材を挿通するためのボックス取付用孔を孔開けし、ボックス本体の位置決め部の切断により位置決め部を除去して締結部材挿通孔を開口させ、開口された締結部材挿通孔とボックス取付用孔とに締結部材を挿通して締結することで、自動車用収納ボックスをインストルメントパネル本体に取付固定した。これらのことにより、物品収納部における所定の自動車用収納ボックスの取付位置に、正確かつ容易にボックス取付用孔を位置決めして加工することができるとともに、予めボックス取付用孔を設けていないため、収納ボックスを取り付けない場合であっても、部品収納部の見映えがよい。
【図面の簡単な説明】
【図１】本発明の実施形態に係る自動車用収納ボックスの斜視図である。
【図２】ボックス取付用突部の拡大正面図である。
【図３】自動車用収納ボックスが部品収納部に取り付けられたときのボックス取付用突部の拡大断面図である。
【図４】インストルメントパネル本体の要部断面図である。
【図５】本発明の実施形態に係る自動車用収納ボックスが取り付けられるインストルメントパネル本体の分解斜視図である。
【符号の説明】
１　インストルメントパネル本体
３　物品収納部
３ａ　奥部壁
５　収納ボックス（自動車用収納ボックス）
１１　ボックス本体
１１ａ　開口部
１１ｃ　奥部壁
１３　リッド
２１　締結部材
２３　締結部材挿通孔
２５　位置決め用孔
２７　位置決め部
３１　ボックス取付用孔
【図１】
2004058710.tif 000003
【図２】
2004058710.tif 000004
【図３】
2004058710.tif 000005
【図４】
2004058710.tif 000006
【図５】
2004058710.tif 000007